(57)【要約】      （修正有）【課題】フチなし印刷であってもフレームデータが欠損することなく、フチあり印刷と同じ見た目を得ることができる印刷装置を提供する。【解決手段】フチなし印刷時のはみ出し量を考慮したフレームデータと記憶媒体から読込んだ画像データを合成して合成データを作成し、フチのあり・なしという印刷モードに応じて、フチなし印刷ならば合成した結果からそのまま印刷データを作成して印刷、フチあり印刷ならば合成した結果を印刷領域サイズにトリミングしてから印刷データを作成して印刷する。【選択図】図７
2009113241.tif 000002
【特許請求の範囲】
【請求項１】
表示装置と記憶媒体に対するＩ／Ｆを備える印刷装置において、フチなし印刷時のはみ出し量を考慮したフレームデータと記憶媒体から読込んだ画像データを合成して合成データを作成するフレームデータ合成手段と、前記合成データを実際に印刷されるサイズにトリミングして前記表示装置に表示するプレビュー表示手段と、印刷モードによって前記合成データをトリミングして印刷データを作成する印刷データ作成手段を有し、フレーム合成設定時には、フレームデータと記憶媒体から読込んだ画像データを合成した結果を印刷領域サイズにトリミングしてから表示装置にプレビュー表示し、フレーム合成印刷時には、オペレータによって設定された印刷モードをチェックし、フチなし印刷ならば前記合成した結果からそのまま印刷データを作成して印刷すると共に、フチあり印刷ならば前記合成した結果を印刷領域サイズにトリミングしてから印刷データを作成して印刷することを特徴とする印刷装置。
【請求項２】
前記印刷データ作成手段は、トリミングする際にフチなし印刷時のはみ出し量を考慮してトリミングすることを特徴とする請求項１に記載の印刷装置。
【請求項３】
記憶媒体に対するＩ／Ｆを備える印刷装置において、フチなし印刷時のはみ出し量を考慮したフレームデータと記憶媒体から読込んだ画像データを合成して合成データを作成するフレームデータ合成手段と、印刷モードによって前記合成データをトリミングして印刷データを作成する印刷データ作成手段を有し、フレーム合成印刷時には、オペレータによって設定された印刷モードをチェックし、フチなし印刷ならば前記合成した結果からそのまま印刷データを作成して印刷すると共に、フチあり印刷ならば前記合成した結果を印刷領域サイズにトリミングしてから印刷データを作成して印刷することを特徴とする印刷装置。
【請求項４】
前記印刷データ作成手段は、トリミングする際にフチなし印刷時のはみ出し量を考慮してトリミングすることを特徴とする請求項３に記載の印刷装置。
【発明の詳細な説明】
【技術分野】
【０００１】
本発明は画像データ処理による画像合成の技術分野に係り、印刷モードに応じて自動的に印刷データのトリミングを行う印刷装置に関する。
【背景技術】
【０００２】
パーソナルコンピュータを逐一起動しなくても印刷することができる手軽さから、パーソナルコンピュータなしでも単体で印刷することが可能な印刷装置や複合機の需要が高まっている。また、デジタル画像技術の普及により、それら印刷装置や複合機であっても画像データに対して様々な画像加工を施して印刷することが可能になっている。ところが、印刷装置や複合機は簡単に画像加工が実現できる半面、細かい設定ができないため、オペレータの意図したとおりに印刷できない場合もある。例えば、好みに応じたフレームデータを画像データに合成し印刷するフレーム合成印刷では、図１に示すようにフチあり印刷とフチなし印刷で得られる印刷結果に大きな違いが生じてしまう。なぜなら、一般的にフレーム合成印刷を行う場合は、図２（ｉ）のように作成した合成データを、フチなし印刷のときは図２（ｉｉ）のように、フチあり印刷のときは図２（ｉｉｉ）のように使用するからである。その結果、図２（ｉｉ）は印刷メディアからはみ出した分のデータが欠損してしまい、データを損なわない図２（ｉｉｉ）と比べて、見た目の差異が発生してしまう。
【０００３】
フチなしフレーム合成印刷に限らず、通常のフチなし印刷であっても、図２と同様に、通常のフチあり印刷とは得られる結果は異なる。しかし、フチなしフレーム合成印刷は、オペレータが意図して追加したデータに欠損が見られるため、通常のフチなし印刷に比べて見た目の違いから受けるインパクトが大きくなってしまう。
【０００４】
フチなし印刷の見た目を調整する技術としては、特開２００４−２９７７８１号公報が提案されている。この技術は、イメージスキャナにより原稿のイメージを取り込み、印刷装置によって印刷を実行する場合に、印刷結果にマージンが現れることのないよう少し大きめに読み取ったデータを拡大して印刷することで、フチなし印刷を可能にする。
【特許文献１】特開２００４−２９７７８１号公報
【発明の開示】
【発明が解決しようとする課題】
【０００５】
しかしながら、上記従来技術はコピー印刷時に限定した内容であり、メモリカードなどから直接データを読込んで印刷することや、フレーム合成といった画像加工を用いることに関しては、考慮されていない技術だった。
【０００６】
本発明は、上記問題を鑑みてなされたものであり、フチのあり・なしという印刷モードに応じて、フレームデータと画像データを合成した結果を自動でトリミングする。これにより、フチなし印刷であってもフレームデータが欠損することなく、フチあり印刷と同じ見た目を得ることができる印刷装置を提供するものである。
【課題を解決するための手段】
【０００７】
本発明の印刷装置は、上記課題を解決するために以下のような構成を備える。すなわち、表示装置と記憶媒体に対するＩ／Ｆを備える印刷装置で、フチなし印刷時のはみ出し量を考慮したフレームデータと記憶媒体から読込んだ画像データを合成して合成データを作成するフレームデータ合成手段と、合成データを実際に印刷されるサイズにトリミングして表示装置に表示するプレビュー表示手段と、印刷モードによって合成データをトリミングして印刷データを作成する印刷データ作成手段を有し、フレーム合成設定時には、フレームデータと記憶媒体から読込んだ画像データを合成した結果を印刷領域サイズにトリミングしてから表示装置にプレビュー表示し、フレーム合成印刷時には、オペレータによって設定された印刷モードをチェックし、フチなし印刷ならば合成した結果からそのまま印刷データを作成して印刷、フチあり印刷ならば合成した結果を印刷領域サイズにトリミングしてから印刷データを作成して印刷することを特徴とする。
【０００８】
さらに、印刷データ作成手段は、トリミングする際にフチなし印刷時のはみ出し量を考慮してトリミングすることを特徴とする。
【発明の効果】
【０００９】
本発明は、フレーム合成を伴うフチあり・なし印刷を行う際、はみ出し量を考慮したフレームデータと画像データを合成した結果を、印刷モードに応じて自動でトリミングし、そのトリミングしたデータを元に印刷データを作成する機能を有する。また、はみ出し量を考慮したフレームデータと画像データを合成した結果を、印刷領域サイズに自動でトリミングし、そのトリミングしたデータを元に表示データを作成する機能を有する。これにより、フチなし印刷であってもフチあり印刷と同じフレーム領域を印刷することができ、かつ、フレームと画像データの大きさの比率も同じにすることができる印刷装置を提供するものである。また、プレビュー表示もフチあり印刷、フチなし印刷と同じ見た目にすることができる印刷装置を提供するものである。
【発明を実施するための最良の形態】
【００１０】
次に、本発明の詳細を実施例の記述に従って説明する。
【実施例１】
【００１１】
図３は、本発明の実施形態に係る印刷装置３００の概観斜視図である。この印刷装置３００は、ＰＣからデータを受信して印刷する通常のＰＣプリンタとしての機能とは別に、スキャナから画像データを読み取って印刷する機能を備える。また、着脱可能な外部記憶媒体に対してダイレクトにアクセスして印刷する機能、及び、デジタルカメラからダイレクトに画像データを受信して印刷する機能も備えている。記録方式としては如何なるものでも良いが、本実施形態では記録解像度、印刷品質等の観点から、熱エネルギーを利用してインク液滴を記録媒体に向けて吐出するインクジェットプリンタとした。
【００１２】
図３において、本発明の実施形態に係る印刷装置３００の外殻をなす本体は、下ケース３０１、プリンタカバー３０２、原稿台カバー３０３、及び、排出トレイ３０４の外装部材を有している。下ケース３０１は、印刷装置３００の略下半部を形成しており、内部に後述の各機構を収納する収納空間を有する中空体構造をなし、その前面部には開口部が形成されている。プリンタカバー３０２は、その一端部が下ケース３０１に回転自在に保持され、上面に形成される開口部を開閉できるようになっている。このプリンタカバー３０２を開くことによって本体内部に収納されている記録ヘッドカートリッジ（不図示）あるいはインクタンク（不図示）等の交換が可能となる。なお、ここでは特に図示しないが、プリンタカバー３０２を開閉させると、その裏面に形成された突起がカバー開閉レバーを回転させるようになっている。そのカバー開閉レバーの回転位置をマイクロスイッチなどで検出することにより、プリンタカバー３０２の開閉状態を検出できるようになっている。また、ここでは特に図示しないが、印刷メディアの搬送ユニットが下ケース３０１内に内蔵されている。さらに、プリンタカバー３０２の内部にはスキャナユニット（不図示）が内蔵されている。原稿台カバー３０３は、その一端部がプリンタカバー３０２に回転自在に保持され、原稿台カバー３０３を開けることでプリンタカバー３０２内に設けられているスキャナへアクセスすることができる。また、原稿台カバー３０３を閉めることでスキャナの読み取り面を保護することができる。排出トレイ３０４は、その一端部が下ケース３０１の開口部分に保持されており、記録動作を実行させる際には、ここから記録媒体が排出可能となると共に、排出された記録媒体を順次積載できるようになっている。
【００１３】
プリンタカバー３０２の向かって右面には、電源キー３０５が押下可能に設けられている。また、プリンタカバー３０２の中央には、ユーザインターフェース表示用にメニューやガイド、選択した画像データなどを表示することができる液晶表示部３０６が設けられている。さらに、プリンタカバー３０２の向かって左面には、各種キースイッチなどを備える操作パネル３０９が設けられている。３０７は自動給送部で、記録媒体を装置本体内へと自動的に給送する。３０８はカードスロットで、ここにメモリカードを挿入することでメモリカードに保存されている画像データを直接取り込んで印刷することができる。このメモリカードとしては、例えばコンパクトフラッシュ（登録商標）メモリ、スマートメディア、メモリスティック等がある。３１０は外部機器と接続するためのコネクタ端子（ＵＳＢ端子）であり、例えばデジタルカメラや外部光ディスク装置などを接続し、ダイレクトに画像データを受信するためのものである。なお、この印刷装置３００の後面には、ＰＣを接続するためのコネクタ端子（ＵＳＢコネクタ）が設けられている。
【００１４】
図４は、本発明の実施形態に係る印刷装置３００のブロック構成図である。印刷装置３００は先に説明したように、ＰＣと接続して印刷する機能（装置背面にＰＣと接続するＵＳＢコネクタが設けられていることは既に説明した）を有する。また、デジタルカメラ等の撮像装置や外部光ディスク装置とダイレクトに接続し印刷する機能、デジタルカメラ等で使用されたメモリカードに直接アクセスして画像データを読出し印刷する機能、及び、スキャナで読み取った画像データを印刷する機能を有する。かかる機能を実現するため、外部接続装置とのＩ／Ｆである図１に既出のコネクタ端子３１０、メモリカードに直接アクセスするＩ／Ｆである図１に既出のカードスロット３０８、スキャナなどによる図１に既出の画像読み取り部３０２を備えている。さらに、液晶表示部３０６、及び、印刷処理部４０６とを備えている。印刷処理部４０６は、不図示の各記録色成分のインクタンク及びその記録ヘッドを搭載したキャリッジを走査運動する機構、並びに、記録ヘッドの駆動回路等で構成され、後述のシステム制御部４００によって制御される。
【００１５】
システム制御部４００は、装置全体を制御する制御部で、以下の構成要素を備えている。
【００１６】
４０１は受信バッファで、画像読み取り部３０２、カードスロット３０８、コネクタ端子３１０経由で印刷装置３００に送られてくる画像データを受信し、一時的に保存する。
【００１７】
４０２はフレームデータ保存領域で、画像データと合成するフレームデータが保存されている。保存されているフレームデータは、図５に示すように、予めはみ出し量を考慮して印刷領域より一回り大きくなっている。
【００１８】
４０３はフレームデータ合成部で、受信バッファ４０１に保存されている画像データとフレームデータ保存領域４０２に保存されているフレームデータから、図６に示すような合成データを作成する。
【００１９】
４０４は印刷データ作成部で、フレームデータ合成部４０３で作成した合成データを、フチなし印刷のときは図７（ｉ）のように使用する。基本的には図２（ｉｉ）と変わらないが、はみ出し量を考慮したフレームデータを使用しているので、得られる印刷結果は印刷領域を保証するものになる。一方、フチあり印刷のときは、図７（ｉｉ）のように合成データを印刷領域サイズに自動でトリミングし、トリミングしたデータを元に印刷データを作成する。こうすることで、図７（ｉ）と図７（ｉｉ）は、印刷領域のサイズこそフチのありなし分だけ違うものの、印刷されるフレームの領域、および、フレームと画像データの大きさの比率を同じにすることができる。なお、印刷装置３００にはみ出し量の調整を行うことができる機能が備わっている場合のフチなし印刷は、はみ出し量を考慮したサイズで合成データをトリミングし、トリミングしたデータを元に印刷データを作成する。
【００２０】
４０５はプレビュー表示部で、フレームデータ合成部４０３で作成した合成データを、図８のように印刷領域サイズに自動でトリミングし、トリミングしたデータを元に液晶表示部３０６に表示する。こうすることで、フチなし印刷結果、フチあり印刷結果、プレビュー表示の３つを共通の見た目にすることができる。
【００２１】
図９は、本発明の実施形態に係るフレーム合成印刷を実行したときの処理手順を示すフローチャートである。まず、ステップＳ９０１では、オペレータにより、フレーム合成印刷の設定が操作パネル３０９を使って指定されるのを待つ。ステップＳ９０２では、システム制御部４００がステップＳ９０１にてどのような操作が行われたかを判断する。印刷プレビュー表示を実行する操作が行われたならば、ステップＳ９０３へ進む。印刷プレビュー表示を実行する操作が行われなかったならば、ステップＳ９０５へ進む。ステップＳ９０３では、フレームデータ合成部４０３が合成対象となる画像データを受信バッファ４０１から、合成対象となるフレームデータをフレームデータ保存領域４０２からそれぞれ取得し、合成データを作成する。ステップＳ９０４では、プレビュー表示部４０５がステップＳ９０３にて作成した合成データを印刷領域サイズに自動的にトリミングし、トリミングしたデータを元に液晶表示部３０６に表示する。ステップＳ９０５では、システム制御部４００がステップＳ９０１にてどのような操作が行われたかを判断する。フレーム合成印刷を実行する操作が行われたならば、ステップＳ９０６へ進む。フレーム合成印刷を実行する操作が行われなかったならば、ステップＳ９０１へ戻る。ステップＳ９０６では、フレームデータ合成部４０３が合成対象となる画像データを受信バッファ４０１から、合成対象となるフレームデータをフレームデータ保存領域４０２からそれぞれ取得し、合成データを作成する。なお、ステップＳ９０３にて既に合成データを作成していた場合は、そのデータを用いても構わない。ステップＳ９０７では、印刷モードがフチあり印刷なのかフチなし印刷なのかを、システム制御部４００が判断する。印刷モードがフチあり印刷であるならばステップＳ９０８へ進む。印刷モードがフチなし印刷であるならばステップＳ９０９へ進む。ステップＳ９０８では、印刷データ作成部４０４がステップＳ９０６にて作成した合成データを印刷領域サイズに自動でトリミングし、トリミングしたデータを元に印刷データを作成する。ステップＳ９０９では、印刷データ作成部４０４がステップＳ９０６にて作成した合成データを元に印刷データを作成する。なお、印刷装置３００にはみ出し量の調整を行うことができる機能が備わっている場合は、はみ出し量を考慮したサイズで合成データをトリミングし、トリミングしたデータを元に印刷データを作成する。ステップＳ９１０では、印刷処理部４０６がステップＳ９０８、もしくはステップＳ９０９で作成した印刷データを用いて、印刷メディアに対して印刷を行う。
【００２２】
なお、上記の実施例では、図３において液晶表示部３０６を具備する構成としている。しかし、液晶表示部３０６を具備する構成でなかったとしても、本出願に係る発明に含まれることは言うまでもない。
【図面の簡単な説明】
【００２３】
【図１】従来のフレーム合成を伴うフチなし印刷、および、フチあり印刷の印刷結果の例
【図２】従来のフレーム合成印刷の処理例
【図３】本発明の実施形態に係る印刷装置３００の概観斜視図
【図４】本発明の実施形態に係る印刷装置３００のブロック構成図
【図５】フチなし印刷時のはみ出し量を考慮したフレームデータの例
【図６】フチなし印刷時のはみ出し量を考慮したフレームデータと、合成対象となる画像データを合成した結果得られる合成データの例
【図７】本発明の実施形態に係るフレーム合成印刷の処理例
【図８】本発明の実施形態に係るプレビュー表示の処理例
【図９】本発明の実施形態に係るフレーム合成印刷を実行したときの処理手順を示すフローチャート
【符号の説明】
【００２４】
３００  印刷装置
３０１  下ケース
３０２  プリンタカバー（画像読み取り部を内蔵）
３０３  原稿台カバー
３０４  排出トレイ
３０５  電源キー
３０６  液晶表示部
３０７  自動給送部
３０８  カードスロット
３０９  操作パネル
３１０  コネクタ端子
４００  システム制御部
４０１  受信バッファ
４０２  フレームデータ保存領域
４０３  フレームデータ合成部
４０４  印刷データ作成部
４０５  プレビュー表示部
４０６  印刷処理部
【図１】
2009113241.tif 000003
【図２】
2009113241.tif 000004
【図３】
2009113241.tif 000005
【図４】
2009113241.tif 000006
【図５】
2009113241.tif 000007
【図６】
2009113241.tif 000008
【図７】
2009113241.tif 000009
【図８】
2009113241.tif 000010
【図９】
2009113241.tif 000011